(57)【要約】【課題】イスの脚柱等の柱状体、棒状体、あるいは、筒状体に簡単に巻回装着でき、十分な表示面積を確保することができて、当該巻装物に対する注意喚起事項を表示したり、商店等の販売促進やイベントに際するＰＯＰ広告を表示したり、あるいは、当該巻装物の装飾性を高めたりするのに好適な表示用具を提供すること。【解決手段】長尺のエアセル２を複数横方向に連設して成るエアベース１と、エアベース１の一面の全体に被装される透視材製のポケット４付きシートカバー３とから成っていて、シートカバー３を表面にしてその全体を柱状体や棒状体、あるいは、筒状体に巻装固定可能にして成る表示用具であり、シートカバー３はエアベース１の一側部に連設し、あるいは、エアベース１と別体にし、予め又は使用時にエアベース１の一面に被装し、複数のエアセル２は、その全部又は一部ごとに連通状態する。【選択図】図１
0003139739.tif 000002
【実用新案登録請求の範囲】
【請求項１】
長尺のエアセルを複数横方向に連設して成るエアベースと、前記エアベースの一面の全体に被装される透視材製のポケット付きシートカバーとから成っていて、前記シートカバーを表面にしてその全体を柱状体、棒状体、あるいは、筒状体に巻装固定可能にして成る表示用具。
【請求項２】
前記シートカバーは、前記エアベースの一側部に連設されている請求項１に記載の表示用具。
【請求項３】
前記シートカバーは、前記エアベースと別体で、予め又は使用時に前記エアベースの一面に被装される請求項１に記載の表示用具。
【請求項４】
前記複数のエアセルは、その全部又は一部ごとに連通状態にされている請求項１乃至３のいずれかに記載の表示用具。
【請求項５】
前記表示用具は、上下方向及び／又は横方向に連結可能である請求項１に記載の表示用具。
【考案の詳細な説明】
【技術分野】
【０００１】
本考案は表示用具、より詳細には、イスやテーブルの脚柱、柱等の柱状体や棒状体、あるいは、植木鉢等の筒体に巻回装着し、当該被巻装物に対する注意喚起事項を表示させたり、商店等の販売促進やイベントに際するＰＯＰ広告を表示させたり、あるいは、当該被巻装物の視認性や装飾性を高めたりする表示用具に関するものである。
【背景技術】
【０００２】
例えば、パチンコ店において、当該遊戯台が新台であることを示すための表示用具として、実用新案登録第３０９９２１８号公報に示される、イスの背凭れカバーに装着するタイプのものが知られている。これは、パチンコ店の遊戯台前の通路に沿って配列されるイスの背凭れに着脱自在に装着する背凭れカバーと、該背凭れカバーに着脱自在に結合され、且つ、表面に文字や図形が記載された表示シートの組合せから成る。
【０００３】
この構成の場合、前記背凭れカバーの前記通路側に対応する面に、前記表示シートを着脱自在に結合するためのファスナー用の歯を備えた一対のテープの一方が水平に設けられ、前記表示シートの上部近傍の裏面に、前記一方のテープに結合分離される他方のテープが設けられ、前記何れかのテープに、前記一対のテープの前記歯部を結合分離するためのファスナー用すべり金具が設けられている。
【０００４】
しかるに、この表示用具の場合、情報を表示する表示シートは通路側、即ち、イスの背面側に向くため、通路を進行する客の目には入りにくい。そうかといって、イスの背凭れの側面には十分な厚みがなく、そこに十分な表示面積を確保することができないので、背凭れの側面に表示シートを配することはできない。
【０００５】
【特許文献１】実用新案登録第３０９９２１８号公報
【考案の開示】
【考案が解決しようとする課題】
【０００６】
上述したように、従来提唱されているイス等に装着する表示用具には視認性の点で問題があったので、本考案はそのような問題のない、即ち、イスやテーブルの脚柱、柱等の柱状体や棒状体、あるいは、植木鉢等の筒状体に簡単に巻回装着でき、十分な表示面積を確保することができて、当該巻装物に対する注意喚起事項を表示したり、商店等の販売促進やイベントに際するＰＯＰ広告を表示したり、あるいは、当該巻装物の装飾性を高めたりするのに好適な表示用具を提供することを課題とする。
【課題を解決するための手段】
【０００７】
上記課題を解決するための請求項１に記載の考案は、長尺のエアセルを複数横方向に連設して成るエアベースと、前記エアベースの一面の全体に被装される透視材製のポケット付きシートカバーとから成っていて、前記シートカバーを表面にしてその全体を柱状体、棒状体、あるいは、筒状体に巻装固定可能にして成る表示用具である。
【０００８】
前記シートカバーは、前記エアベースの一側部に連設され、あるいは、前記エアベースと別体にされ、予め又は使用時に前記エアベースの一面に被装される。前記複数のエアセルは、その全部又は一部ごとに連通状態にされる。
【０００９】
前記表示用具は、より広範囲に被装可能にし、また、より広範囲の表示面積を確保するために、互いに上下方向及び／又は横方向に連結可能にすることもある。
【考案の効果】
【００１０】
本考案は上記のとおりであり、イスやテーブルの脚柱、柱等の柱状体や棒状体、あるいは、植木鉢等の筒状体に簡単に巻回装着でき、十分な表示面積を確保することができて、当該被巻装物に対する注意喚起事項を表示したり、商店等の販売促進やイベントに際するＰＯＰ広告を表示したり、あるいは、当該被巻装物の装飾性を高めたりするのに好適な表示用具が得られる効果がある。
【考案を実施するための最良の形態】
【００１１】
本考案を実施するための最良の形態につき、添付図面に依拠して説明する。図１は、本考案に係る表示用具の一実施形態を示す斜視図で、それは、長尺のエアセル２を複数横方向に連設して成るエアベース１と、エアベース１の一面の全体に被装される透視材製のポケット４を備えたシートカバー３とから成っていて、シートカバー３を表面にしてその全体を、柱状体や棒状体、あるいは、筒状体に巻装固定可能にしたものである。
【００１２】
任意の数のエアセル３を横方向に連設して形成されるエアベース１は、エアクッション等として一般に用いられている樹脂シート製で、各エアセル３は、膨満時において棒状を呈する。各エアセル３は、そのすべてを連通状態にして、エア充填口５からエアを吹き込んで一度に全体を膨満させるようにしてもよいし、何本かづつのグループに分け（例えば全部で６本の場合に３本づつのグループとする。）、各グループごとに連通させて、グループごとに膨満させることとしてもよい。本考案に係る表示用具は、イス１２やテーブル１３の脚柱１０等に巻装して用いるものであるので、巻き付けを無理なく容易に行えるようにするために、エアベース１は、できるだけ細長いエアセル３を数多く連設して形成することが好ましい。
【００１３】
シートカバー３は、透明または半透明の樹脂シートで、エアベース１と同一素材製とすることもできる。シートカバー３は、その一面にポケット４を備えていて、そこに、ポスター、写真、文字情報記載紙等の情報シート１１を入れ替え挿入することができるようになっている。ポケット６は、通常、シートカバー３の全面に及ぶものとされるが、それに限られる訳ではない。また、ポケット４は、必要に応じ、適宜区画される。
【００１４】
シートカバー３は、例えば、エアベース１の一側縁に連設される。その場合は、シートカバー３を、エアベース１の一面全体を被覆するように反転させ、その外端縁をエアベース１の他側縁に定着する。別の実施形態においてはシートカバー３は、エアベース１と別体に形成され、エアベース１の一面全体に被装して定着する。いずれの場合においても、シートカバー３は予めエアベース１に定着しておいてもよいし、使用時に定着することとしてもよい。また、いずれの場合にも、定着手段として面テープや両面テープ等を使用することができ、特に、予め定着しておく場合には、熱溶着によることができる。
【００１５】
なお、図１には、上記二つの実施形態の双方を含めて示してある。即ち、図１の上方では、シートカバー３がエアベース１の一側部に連設された例が示されており、その場合は、図１の下方に示されているエアベース１とは別体のシートカバー３は不要となる（もちろんシートカバー３を両面に被装することとしてもよい。）。また、シートカバー３をエアベース１と別体に形成する場合は、図１の上方に示されているエアベース１と一体のシートカバー３は不要となる。
【００１６】
図２に示す実施形態においては、シートカバー３にフラッグ７が設けられ、それが一層人目を引くため、情報提供手段として有効なものとなる。例えば、パチンコ店においては、このフラッグ７に「新台」等の注意喚起事項が表示される。
【００１７】
エアベース１の両端部には、イス１２やテーブル１３の脚柱１０等に巻き付け固定するための、端部同士の係着手段６が設けられる。係着手段６は係脱可能なものであり、例えば、面ファスナー、ボタン、フック等が考えられる。また、係着手段６は、エアベース１ではなく、シートカバー３の両端部に設けることもでき、更に、エアベース１とシートカバー３とに対応する係着手段６を配置することもできる。
【００１８】
また、別の実施形態においては、エアベース１の両端部に引掛け金具８（図２参照）やループ９（図８参照）を設置し、引掛け金具８を被巻装物の適宜個所に引掛けたり、ループ９にイス１２の脚柱１０を通したりして装着することもできる。
【００１９】
上記構成の表示用具を、その高さ及び／又は長さを増すために、上下方向及び／又は横方向に連結可能にすることもある。そのように連結可能にするためには、エアベース１の上下辺及び／又は側辺に、面テープ、ファスナー等を配備すればよい。
【００２０】
本考案に係る表示用具は、ポケット４に情報シート１１を挿入した後、イス１２やテーブル１３の脚柱１０等に巻き付け、係着手段６を介して端部同士を係着することにより、何人も簡単に固定することができ、また、情報シート１１の差し替え等に伴って取り外す作業も、同様に簡単に行うことができる。図３はイス１２の脚柱１０に巻装した状態を示し、図４はテーブル１３の脚柱１０に巻装した状態を示し、図５は植木鉢１４の全体に巻装した状態を示している。これら図示した例からも明らかなように、本表示用具は、その装着状態において邪魔になることは全くない。
【００２１】
本表示用具は上記いずれの巻装状態においても円筒状になり、どの方向においても同じように十分な表示面積が確保される。従って、どの方向から見ても十分な視認性が得られ、表示用具として好適なものとなる。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２３】
【図１】本考案の二つの実施形態を示す斜視図である。
【図２】本考案の他の実施形態を示す斜視図である。
【図３】本考案の一実施形態の使用状態を示す斜視図である。
【図４】本考案の一実施形態の他の使用状態を示す斜視図である。
【図５】本考案の一実施形態の更に他の使用状態を示す斜視図である。
【図６】本考案の他の実施形態の使用状態を示す斜視図である。
【符号の説明】
【００２４】
１    エアベース
２    エアセル
３    シートカバー
４    ポケット
５    エア充填口
６    係着手段
７    フラッグ
８    引掛け金具
９    ループ
１０  脚柱
１１  情報シート
１２  イス
１３  テーブル
１４  植木鉢
【図１】
0003139739.tif 000003
【図２】
0003139739.tif 000004
【図３】
0003139739.tif 000005
【図４】
0003139739.tif 000006
【図５】
0003139739.tif 000007
【図６】
0003139739.tif 000008